(57)【特許請求の範囲】
【請求項１】
可動枠と、可動枠の後部に設けられた払出機構と、払出機構から払い出された球を可動枠の前方に導出するように可動枠に設けられた球出口部と、開閉可能に装着された前扉と、前扉の前部に設けられた球通路構造体と、球通路構造体から払い出された球を受け取るように前扉の前部に設けられた受皿と、球出口部から払い出された球を球通路構造体に導入するように前扉の後部に設けられた球入口部と、前扉の開けられたことを検出するように可動枠に設けられた扉開放検出器と、扉開放検出器から扉開放信号が入力されることによって払出機構を停止する払出制御装置とを備え、前記球入口部が上扉から後方に突出し、前記上扉が前記扉開放検出器から前方に離れ、前記扉開放検出器がオン動作した場合でも、前記球出口部と前記球入口部とが互いに嵌め合わされていることを特徴とする遊技機の球払出装置。  
【発明の詳細な説明】
【技術分野】
【０００１】
本発明は、払出機構が遊技盤の取り付けられる可動枠に設けられ、球通路が可動枠の前部に開閉可能に装着された前扉に設けられた遊技機の球払出装置において、前扉が開けられた場合に、払出機構が停止する遊技機の球払出装置に関する。
【背景技術】
【０００２】
パチンコ遊技機などのパチンコ球と呼ばれる球を遊技媒体として使用する遊技機の球払出装置には、特許文献１で開示されたように、払出機構から受皿に払い出される球が遊技機枠の前側から見えるように、球通路が遊技機枠の前部に設けられたものが公知である。しかしながら、払出機構が遊技盤の取り付けられる可動枠に設けられ、球通路が可動枠の前部に開閉可能に装着された前扉に設けられているので、前扉が開けられると、払出機構と球通路とが互いに分離される。よって、例えば、遊技盤上で球詰まりなどのトラブルが発生したことから、遊技店の店員が上記トラブルを解決しようとして前扉を開けたときに、払出機構が駆動中であったりまたは駆動を開始したりした場合、払出機構から払い出された球が店内にこぼれるという欠点がある。
【特許文献１】特開２００４−１８７９４７号公報
【発明の開示】
【発明が解決しようとする課題】
【０００３】
発明が解決しようとする問題点は、前扉が開けられたとき、払出機構が駆動中であったりまたは駆動を開始したりした場合、払出機構から球がこぼれるという点である。
【課題を解決するための手段】
【０００４】
本発明に係る遊技機の球払出装置は、可動枠と、可動枠の後部に設けられた払出機構と、払出機構から払い出された球を可動枠の前方に導出するように可動枠に設けられた球出口部と、開閉可能に装着された前扉と、前扉の前部に設けられた球通路構造体と、球通路構造体から払い出された球を受け取るように前扉の前部に設けられた受皿と、球出口部から払い出された球を球通路構造体に導入するように前扉の後部に設けられた球入口部と、前扉の開けられたことを検出するように可動枠に設けられた扉開放検出器と、扉開放検出器から扉開放信号が入力されることによって払出機構を停止する払出制御装置とを備え、前記球入口部が上扉から後方に突出し、前記上扉が前記扉開放検出器から前方に離れ、前記扉開放検出器がオン動作した場合でも、前記球出口部と前記球入口部とが互いに嵌め合わされていることを最も主要な特徴とする。  
【発明の効果】
【０００５】
本発明に係る遊技機の球払出装置は、上扉が可動枠から前方に開けられると、払出機構が停止することによって、球が球出口部と球入口部との間からこぼれることはないという利点がある。球入口部が上扉から後方に突出し、上扉が扉開放検出器から前方に離れ、扉開放検出器がオン動作した場合でも、球出口部と球入口部とが互いに接続されていれば、上扉の開放に伴う払出機構の停止する直前に球出口部に払い出された球が球出口部と球入口部との間からこぼれることはないという利点がある。
【発明を実施するための最良の形態】
【０００６】
図１は、遊技機の上扉１７が開けられた球払出装置を示す。図２は、遊技機の上扉１７が可動枠３に開閉不能に支持された球払出装置を示す。図３は、パチンコ遊技機の遊技機枠１を示す。本明細書における「前」、「後」、「左」、「右」、「上」、「下」の方向は、図３の状態に遊技機枠１を置いて矢印Ｓで示す前側から見た場合に特定される方向である。
【０００７】
図３を参照し、パチンコ遊技機を例として遊技機の球払出装置について説明する。パチンコ遊技機は、遊技機枠１の内部に図外の遊技盤を交換可能に取り付ける形態である。遊技機枠１は、固定枠２の前部に可動枠３を開閉可能に備える。固定枠２は、遊技機設置設備に固定される。遊技機設置設備は、パチンコ遊技機を設置する遊技店の島と呼ばれる設備である。可動枠３は、遊技盤や図外の制御装置など遊技に必要な部品を取り付ける前枠とも呼ばれ、左側に位置するヒンジ４を中心とし、固定枠２の前で前方に開かれかつ後方に閉じられるように、片開き可能である。
【０００８】
可動枠３には、盤収容室５、中央開口部６、施錠装置７、タンク８、払出機構９、球出口部１０、扉開放検出器１１、貫通孔１２、ロックレバー１３；１４、解除操作機構１５、発射機構１６、上扉１７、下扉１８などが設けられる。可動枠３が閉じられるとロックレバー１４で固定枠２に開閉不能に支持される。タンク８および払出機構９は、可動枠３の後部に取り付けられる。球出口部１０は、払出機構９から払い出された球を可動枠３の前方に導出する通路であって、可動枠３が固定枠２に開閉不能に支持された場合には上扉１７の側の球入口部２４に連結され、可動枠３が開けられた場合には球入口部２４から分離される。扉開放検出器１１は、上扉１７が可動枠３に開閉不能に支持された場合に電気的にオフ動作し、上扉１７が開けられた場合に電気的にオン動作する。扉開放検出器１１の操作部１９は、可動枠３の後部から貫通孔１２を経由して可動枠３の前方に突出する。
【０００９】
上扉１７は、可動枠３の前部に開閉可能に設けられ、左側に位置するヒンジ２０を中心とし、可動枠３の前で前方に開かれかつ後方に閉じられるように、片開き可能である。上扉１７が閉じられるとロックレバー１３で可動枠３に開閉不能に支持される。上扉１７には、窓２１、窓パネル２２、球通路構造体２３、球入口部２４などが設けられる。球入口部２４は、上扉１７から後方に突出した横樋として構成される。
【００１０】
下扉１８は、可動枠３の前部に開閉可能に設けられ、左側に位置するヒンジ２５を中心とし、可動枠３の前で前方に開かれかつ後方に閉じられるように、片開き可能である。下扉１８が閉じられると図外のロックレバーで可動枠３に開閉不能に支持される。下扉１８の前部には、受皿２６、発射操作機構２７などが設けられる。
【００１１】
可動枠３が固定枠２に開閉不能に支持され、上扉１７および下扉１８が可動枠３に開閉不能に支持された状態において、遊技店の店員が図外のキープレート（鍵）を施錠装置７の鍵穴に挿入し、当該キープレートを例えば右側に９０度回転操作すると、固定枠２と可動枠３とのロックレバー１４による支持形態が解除される。この支持形態の解除後に、遊技店の店員が可動枠３を前方に引くことによって、可動枠３はヒンジ４を中心として前方に片開きされる。
【００１２】
前記施錠装置７の鍵穴に挿入されたキープレートが例えば左側に９０度回転操作されると、可動枠３と上扉１７とのロックレバー１３による支持形態が解除される。この支持形態の解除後に、遊技店の店員が上扉１７を前方に引くことによって、上扉１７はヒンジ２０を中心として前方に片開きされる。上扉１７が片開きされた状態において、遊技店の店員が解除操作機構１５を操作すると、可動枠３と下扉１８との図外のロックレバーによる支持形態が解除される。この支持形態の解除後に、遊技店の店員が下扉１８を前方に引くことによって、下扉１８はヒンジ２５を中心として前方に片開きされる。解除操作機構１５は、上扉１７が可動枠３に開閉不能に支持された場合、操作不能になるように、上扉１７で覆い隠される。
【００１３】
パチンコ遊技の一例について説明する。図外の遊技盤が盤収容室５に装着され、可動枠３が閉じられて開閉不能に固定枠２に支持され、上扉１７および下扉１８が閉じられて可動枠３に開閉不能に支持され、払出機構９が停止し、遊技機枠１の設置された図外の遊技機設置構造体の補給機構から排出されたパチンコ球と呼ばれる球がタンク８に上方から貯蔵される。その状態において、遊技者が受皿２６にパチンコ球と呼ばれる球を入れ、遊技者が発射操作機構２７を操作するのに伴い、発射機構１６が発射操作機構２７の操作量に応じた発射力で駆動し、発射機構１６が受皿２６から遊技機枠１の内部に取り込まれた球を１個ずつ遊技盤の前面と窓パネル２２との間の遊技領域の上部に向けて発射する。遊技領域の上部に到達した球が、遊技領域を流下する過程において、図外の入賞部品に入賞するごとに、払出機構９が駆動し、球がタンク８から払出機構９を経由して球出口部１０に払い出される。この球出口部１０に払い出された球は、球出口部１０から球入口部２４、球通路構造体２３の内部を経由して受皿２６に払い出される。
【００１４】
図１および図２を参照し、遊技機の球払出装置の動作について説明する。図２に示すように、タンク８には、球を貯蔵する貯蔵室２８が設けられる。払出機構９の払出体２９は、貯蔵室２８の底部に配置され、払出軸３０と螺旋体３１とからなる螺旋構造体として構成される。螺旋体３１は、払出軸３０の軸心３２と平行な方向に球を１個ずつ分離する間隔で払出軸３０の外周面から径方向外側に螺旋形状に突出する。払出体２９のタンク８から外側に突出した端部には、タンク８に取り付けられたモータ３３の駆動軸３４が連結される。球出口部１０には、球検出器３５が設けられる。扉開放検出器１１とモータ３３および球検出器３５が、可動枠３の後部に取り付けられた払出制御装置３６に接続される。
【００１５】
そして、上扉１７が可動枠３に開閉不能に支持されると、球入口部２４が球出口部１０の下部に配置され、球出口部１０と球入口部２４とが互いに重ね合わされて連結され、上扉１７が操作部１９を押し、扉開放検出器１１がオフ動作し、払出制御装置３６は上扉１７が可動枠３に開閉不能に支持されていると電気的に判定する。その後、入賞部品への入賞に伴い図外の主制御装置などの遊技制御装置から払出制御装置３６に賞球を払い出す指示が入力されると、払出制御装置３６が払出機構９のモータ３３を駆動し、払出体２９が軸心３２を中心として軸心３２の円周方向に回転し、螺旋体３１が貯蔵室２８の底部と払払出軸３０と螺旋体３１とで形成される隙間に取り込まれた球を１個ずつ分離しつつ球出口部１０に移動し、球が矢印Ｘ１で示すようにタンク８から球出口部１０と球入口部２４および球通路構造体２３の内部を経由して受皿２６（図３参照）に払い出される。払出制御装置３６は、球検出器３５から入力された検出信号を計数し、計数値が遊技制御装置からの指示に対応する賞球払出数になると、モータ３３を停止し、払出機構９による球の払い出しが停止する。
【００１６】
図１に示すように、上扉１７が可動枠３から矢印Ｘ２で示すように前方に開けられ、上扉１７が操作部１９から前方に離れ、扉開放検出器１１がオン動作して扉開放信号を払出制御装置３６に出力すると、払出制御装置３６は上扉１７が開けられたと電気的に判定してモータ３３を停止する処理を実行する。この処理によって、上扉１７が可動枠３から前方に開けられたときに、払出機構９のモータ３３が駆動中であったりまたは駆動を開始したりした場合でも、モータ３３が停止し、払出機構９による払い出しが停止する。よって、球が払出機構９の球出口部１０と球通路構造体２３の球入口部２４との間からこぼれないという利点がある。
【００１７】
上扉１７が操作部１９から前方に離れ、扉開放検出器１１がオン動作した場合でも、球出口部１０と球入口部２４とが互いに嵌め合わされている。よって、上扉１７の開放に伴いモータ３３の停止する直前に球出口部１０に払い出された球が払出機構９の球出口部１０と球通路構造体２３の球入口部２４との間からこぼれないという利点がある。そして、上扉１７が図１に示す状態よりも矢印Ｘ２の方向に開けられると、球入口部２４が図３に示すように球出口部１０から前方に離れる。
【産業上の利用可能性】
【００１８】
図３において、上扉１７および下扉１８は、前扉として一体に構成されてもよい。球入口部２４は、球出口部１０を挿入し得る筒として構成されてもよい。
【図面の簡単な説明】
【００１９】
【図１】上扉が開けられた球払出装置の側面的な模式図（最良の形態）。
【図２】上扉が閉じられた球払出装置の側面的な模式図（最良の形態）。
【図３】パチンコ遊技機の遊技機枠の斜視図（最良の形態）。
【符号の説明】
【００２０】
１は遊技機枠、２は固定枠、３は可動枠、４はヒンジ、５は盤収容室、６は中央開口部、７は施錠装置、８はタンク、９は払出機構、１０は球出口部、１１は扉開放検出器、１２は貫通孔、１３；１４はロックレバー、１５は解除操作機構、１６は発射機構、１７は上扉、１８は下扉、１９は操作部、２０はヒンジ、２１は窓、２２は窓パネル、２３は球通路構造体、２４は球入口部、２５はヒンジ、２６は受皿、２７は発射操作機構、２８は貯蔵室、２９は払出体、３０は払出軸、３１は螺旋体、３２は軸心、３３はモータ、３４は駆動軸、３５は球検出器、３６は払出制御装置。
【図１】
0005188128.tif 000002
【図２】
0005188128.tif 000003
【図３】
0005188128.tif 000004